(57)【要約】【課題】患者の音声や息を感知し呼出をするための感知部が患者の正面を向く呼気式呼出装置を提供する。【解決手段】基台に固定されるフレキシブルパイプと、パイプに保持され患者の音声や息を感知し呼出を行う感知部１とを備え、感知部は、患者の正面に向くように回転可能に装着され、空気振動を取り込む感知穴１１と、呼び出したことを患者に知らせる動作表示灯１２とを備える。パイプは、感知部に接続するジョイント６を備え、感知部は、ジョイントを保持するための上筐体１ａ及び下筐体１ｂとから構成される。ジョイントには回転溝６１を、上筐体及び下筐体には、回転溝に嵌合するガイドリング１３を設けて感知部を回転可能とする。ジョイントには、感知部側に突出するストッパー６２を設け、上筐体には、ストッパーに係止して感知部の動きを制限するための突起１４を設ける。【選択図】図３
2004105227.tif 000002
【特許請求の範囲】
【請求項１】
基台（３）に固定されるフレキシブルパイプ（２）と、前記フレキシブルパイプに保持され患者の音声や息を感知し呼出をするための感知部（１）とを備え、
前記感知部は、前記呼出をする患者の正面に向けることができるように前記フレキシブルパイプの軸方向に直交して回転可能に装着されることを特徴とする呼気式呼出装置。
【請求項２】
前記感知部は、前記患者の音声や息による空気振動を取り込む感知穴（１１）と、前記患者の音声や息が感知されることにより前記呼出が行なわれたことを前記患者に知らせるための動作表示灯（１２）とを備えたことを特徴とする請求項１記載の呼気式呼出装置。
【請求項３】
前記フレキシブルパイプは、前記感知部に接続するためのジョイント（６）を備え、
前記感知部は、前記ジョイントを保持するための上筐体（１ａ）及び下筐体（１ｂ）とから構成され、
前記上筐体及び前記下筐体並びに前記ジョイントの一方には、前記感知部を回転可能にするために回転溝（６１）、他方には、前記回転溝に嵌合するガイドリング（１３）を設けたことを特徴とする請求項１または請求項２記載の呼気式呼出装置。
【請求項４】
前記ジョイントには、前記フレキシブルパイプの軸方向で前記感知部側に突出するストッパー（６２）を設け、
前記上筐体及び前記下筐体の何れか１つには、前記ストッパーに係止して前記感知部の動きを制限するための突起（１４）を備えたことを特徴とする請求項３記載の呼気式呼出装置。
【発明の詳細な説明】
【０００１】
【発明の属する技術分野】
本発明は呼気式呼出装置に係わり、声や息を使い呼出を行う機器において、声や息を感知する感知部を操作する人の正面に向けることができる呼気式呼出装置に関する。
【０００２】
【従来の技術】
従来、病院で使用されるナースコール装置のような呼出機器を手指等で操作することが困難な患者には、感知部が患者の音声や息を感知する構造の呼気式呼出装置が使用されている。
【０００３】
この種の呼気式呼出装置では、患者の音声や息を感知する感知部がアームに固定されている構成が知られている（例えば、特許文献１参照。）。
【０００４】
【特許文献１】
実開昭６１−４２６９０号公報　（第１頁、第１図（イ）、（ロ））
【０００５】
【発明が解決しようとする課題】
しかしながら、上記従来の呼気式呼出装置では、患者の音声や息を感知する感知部がフレキシブルアームに固定されている。フレキシブルアームは可動であるとはいえ、感知部が患者の近くにくるようにはできても、その動きには限度があるので、感知部が必ずしも患者の正面を向くとはかぎらず、患者の位置に応じるように感知部を所望の位置に向けることができないという難点があった。
【０００６】
本発明はこの難点を解決するためになされたもので、感知部を操作する人の正面に向けることができる呼気式呼出装置を提供することを目的とする。
【０００７】
【課題を解決するための手段】
上記の目的を達成するために、本発明による呼気式呼出装置は、基台に固定されるフレキシブルパイプと、フレキシブルパイプに保持され患者の音声や息を感知し呼出をするための感知部とを備え、感知部は、呼出をする患者の正面に向けることができるようにフレキシブルパイプの軸方向に直交して回転可能に装着されるものである。
【０００８】
また、本発明による呼気式呼出装置は、感知部が、患者の音声や息による空気振動を取り込む感知穴と、患者の音声や息が感知されることにより呼出が行なわれたことを患者に知らせるための動作表示灯とを備えている。
【０００９】
さらに、本発明による呼気式呼出装置のフレキシブルパイプは、感知部に接続するためのジョイントを備え、感知部は、ジョイントを保持するための上筐体及び下筐体とから構成され、上筐体及び下筐体並びにジョイントの一方には、感知部を回転可能にするために回転溝、他方には、回転溝に嵌合するガイドリングを設けたものである。
【００１０】
また、本発明による呼気式呼出装置のジョイントには、フレキシブルパイプの軸方向で感知部側に突出するストッパーを設け、上筐体及び下筐体の何れか１つには、ストッパーに係止して感知部の動きを制限するための突起を備えている。
【００１１】
このような構造の呼気式呼出装置では、感知部の感知穴が患者自身の顔に向かい合うので、感知穴から空気振動を取り込む感知精度が向上し、弱い音声や吐息でも感知されて効果的に看護師を呼び出すことが可能になる。
【００１２】
【発明の実態の形態】
以下、本発明による呼気式呼出装置を適用した好ましい形態の実施例について、図面を参照して説明する。
【００１３】
図１に示すように、本発明による呼気式呼出装置は、基台３と、基台３に固定されるフレキシブルパイプ２と、フレキシブルパイプ２に保持され患者の音声や息を感知し呼出をするための感知部１とから構成され、感知部１は、呼出をする患者の正面に向けることができるようにフレキシブルパイプ２の軸方向に直交して図１、図２の矢印Ａのように回転可能に装着される。
【００１４】
また、図２に示すように、本発明による呼気式呼出装置の感知部１は、患者の音声や息による空気振動を取り込む感知穴１１と、患者の音声や息が感知されることにより呼出が行なわれたことを患者自身に知らせるための動作表示灯１２とを備えている。なお、感知穴１１の下にはマイク（図示せず）が設置され、動作表示灯１２としては、公知のＬＥＤランプが好適である。
【００１５】
さらに、図１に示すように、本発明による呼気式呼出装置では、フレキシブルパイプ２は、感知部１に接続するためのジョイント６を備え、図３に示すように、感知部１は、ジョイント６を保持するための上筐体１ａ及び下筐体１ｂとから構成される。
【００１６】
図３に示すように、ジョイント６には、感知部１を回転可能にするために回転溝６１が設けられ、上筐体１ａ及び下筐体１ｂには、回転溝６１に嵌合するガイドリング１３（１３ａ、１３ｂ）が設けられている。
【００１７】
なお、上筐体１ａ及び下筐体１ｂに回転溝を、ジョイント６にガイドリングを設けても同様に好適である。
【００１８】
また、図３に示すように、ジョイント６には、フレキシブルパイプ２の軸方向で感知部１側に突出するストッパー６２を設け、上筐体１ａには、ストッパー６２に係止して感知部１の動きを制限するための突起１４が備えられている。この突起１４は下筐体１ｂに設けられても同様に好適である。
【００１９】
以下に、本発明による呼気式呼出装置の組立と動作を説明する。
【００２０】
呼気式呼出装置のジョイント６に設けられた回転溝６１と、感知部１の上筐体１ａに設けられたガイドリング１３ａとを嵌着させ、その上から下筐体１ｂのガイドリング１３ｂを嵌着させる。これによって、ジョイント６と、上筐体１ａ、下筐体１ｂとが回転可能に保持されることになる。なお、感知部１を回転させたときジョイント６のストッパー６２が上筐体１ａの突起１４に当たるので、フレキシブルパイプ２の軸方向に直交して左右に回転させても、一定以上は回転しない。
【００２１】
本発明による呼気式呼出装置を設置するとき、まず、基台３に固定されたフレキシブルパイプ２の先端の感知部１を患者に近づけ、次に感知部１の感知穴１１が患者の顔と実質的に向き合う位置にジョイント６を回転させる。
【００２２】
手指等で呼出機器を操作することが困難な患者が、吐息や弱い音声でナースステーションの看護師や医師を呼び出すとき、基台３に固定されたフレキシブルパイプ２の先端の感知部１に顔を近づけると、感知穴１１から取り込まれた空気振動は公知の手段で電気信号に変換され、ナースステーション等に送信される。感知穴１１が患者自身の顔に向かい合うので、感知穴１１から空気振動を取り込む感知精度が向上し、弱い音声や吐息でも感知されて効果的に看護師を呼び出すことが可能になる。
【００２３】
さらに、感知部１には感知穴１１と並んで動作表示灯１２が設けられているので、変換された電気信号によって動作表示灯１２が点灯または点滅し、機器が動作したことを患者自身が確認できる。
【００２４】
【発明の効果】
以上の説明からも明らかなように、本発明の呼気式呼出装置によれば、感知部の感知穴が患者自身の顔に向かい合うので、感知穴から空気振動を取り込む感知精度が向上し、弱い音声や吐息でも感知されて効果的に看護師を呼び出すことが可能になる。
【００２５】
さらに、感知穴と並んで設けられている動作表示灯によって、機器が動作したことを患者自身が確認できる。
【図面の簡単な説明】
【図１】本発明の呼気式呼出装置を示した図。
【図２】本発明の呼気式呼出装置の使用状態を示した図。
【図３】本発明の呼気式呼出装置の要部分解図。
【符号の説明】
１・・・感知部
１３・・・ガイドリング
１４・・・突起
２・・・フレキシブルパイプ
３・・・基台
６・・・ジョイント
６１・・・回転溝
６２・・ストッパー
１１・・・感知穴
１２・・・動作表示灯
【図１】
2004105227.tif 000003
【図２】
2004105227.tif 000004
【図３】
2004105227.tif 000005